(57)【要約】【課題】天板に上から力がかかって天板が仕切板の上縁部に接触しても、天板に傷や凹凸等の変形が発生するおそれを抑える。【解決手段】冷凍装置ユニット（２）は、ケース本体（６１）と、仕切板（６６）と、天板（６２）と、を有している。ケース本体（６１）は、上面が開放されており、送風機（２３）及び圧縮機（２１）が配置されている。仕切板（６６）は、鉛直方向に延びており、ケース本体（６１）内の空間を送風機（２３）が配置される第１室（Ｓ１）と圧縮機（２１）が配置される第２室（Ｓ２）とに仕切っている。天板（６２）は、ケース本体（６１）の上面を覆うとともに仕切板（６６）の上に配置されている。そして、仕切板（６６）の上縁部（６８）は、曲げ部（６９）を有している。曲げ部（６９）の曲げ半径（Ｒ）は、仕切板（６６）の板厚（ｔ）の５倍以上の部分を有している。【選択図】図５
2020085428.tif 000002
【特許請求の範囲】
【請求項１】
上面が開放されており、送風機（２３）及び圧縮機（２１）が配置される、ケース本体（６１）と、
鉛直方向に延びており、前記ケース本体内の空間を前記送風機が配置される第１室（Ｓ１）と前記圧縮機が配置される第２室（Ｓ２）とに仕切る、仕切板（６６）と、
前記ケース本体の前記上面を覆うとともに前記仕切板の上に配置される天板（６２）と、
を備えており、
前記仕切板の上縁部（６８）は、曲げ部（６９）を有し、
前記曲げ部の曲げ半径（Ｒ）が前記仕切板の板厚（ｔ）の５倍以上の部分を有している、
冷凍装置ユニット（２）。
【請求項２】
前記上縁部は、前記曲げ部と、前記曲げ部から延びる平坦部（７０）と、を有している、
請求項１に記載の冷凍装置ユニット。
【請求項３】
前記上縁部に１つ以上の切り欠き部（７１）が形成されている、
請求項１又は２に記載の冷凍装置ユニット。
【請求項４】
前記仕切板は、前記ケース本体の上面視において、１つ以上の角部（６６ａ）をなすように曲がっており、
前記切り欠き部は、前記ケース本体の上面視において、前記角部に配置されている、
請求項３に記載の冷凍装置ユニット。
【発明の詳細な説明】
【技術分野】
【０００１】
冷凍装置ユニット
【背景技術】
【０００２】
従来より、ケース内が鉛直方向に延びる仕切板によって仕切られている室外ユニット（冷凍装置ユニット）がある。ケースは、上面が開放されているケース本体と、天板と、を有している。ケース本体には、送風機及び圧縮機が配置されている。仕切板は、鉛直方向に延びており、ケース本体内の空間を送風機が配置される第１室と圧縮機が配置される第２室とに仕切っている。天板は、ケース本体の上面を覆うとともに、仕切板の上に配置されている。
【０００３】
このような冷凍装置ユニットでは、天板に上から力がかかると、天板が撓んで仕切板の上縁部に接触し、天板に傷や凹凸等の変形が発生するおそれがある。これに対して、特許文献１（特開２００９−１７４７６０号公報）に示す冷凍装置ユニットでは、仕切板の上縁部を水平方向に曲げて、天板からの荷重を受ける構成を採用している。
【発明の概要】
【発明が解決しようとする課題】
【０００４】
しかし、上記従来の仕切板の上縁部を水平方向に曲げている構成では、天板からの荷重が大きくなると、上縁部の曲げ始めの部分と天板との接触によって、天板に傷や凹凸等の変形が発生するおそれがある。
【課題を解決するための手段】
【０００５】
第１の観点にかかる冷凍装置ユニットは、ケース本体と、仕切板と、天板と、を有している。ケース本体は、上面が開放されており、送風機及び圧縮機が配置されている。仕切板は、鉛直方向に延びており、ケース本体内の空間を送風機が配置される第１室と圧縮機が配置される第２室とに仕切っている。天板は、ケース本体の上面を覆うとともに仕切板の上に配置されている。そして、仕切板の上縁部は、曲げ部を有している。曲げ部の曲げ半径は、仕切板の板厚の５倍以上の部分を有している。
【０００６】
ここでは、仕切板の上縁部を曲げている構成（曲げ部を有する構成）を採用する際に、上記のように、曲げ部の曲げ半径が仕切板の板厚の５倍以上の部分を有するように上縁部を曲げているため、天板が仕切板の上縁部に接触する際の荷重を緩和することができる。このため、ここでは、従来に比べて、上縁部の曲げ始めの部分と天板との接触によって天板に傷や凹凸等の変形が発生することを抑えることができる。
【０００７】
第２の観点にかかる冷凍装置ユニットは、第１の観点にかかる冷凍装置ユニットにおいて、仕切板の上縁部が、曲げ部と、曲げ部から延びる平坦部と、を有している。
【０００８】
ここでは、平坦部によって天板からの荷重を分散して受けることができる。
【０００９】
第３の観点にかかる冷凍装置ユニットは、第１又は第２の観点にかかる冷凍装置ユニットにおいて、上縁部に１つ以上の切り欠き部が形成されている。
【００１０】
ここでは、切り欠き部によって仕切板の上縁部が複数の部分に分割されている。このため、ここでは、複数に分割された仕切板の上縁部によって天板からの荷重を分散して受けることができる。そして、この荷重の分散は、天板における傷や凹凸等の変形発生の抑制に寄与する。
【００１１】
第４の観点にかかる冷凍装置ユニットは、第３の観点にかかる冷凍装置ユニットにおいて、仕切板が、ケース本体の上面視において、１つ以上の角部をなすように曲がっている。切り欠き部は、ケース本体の上面視において、角部に配置されている。
【００１２】
仕切板の曲がり形状によって形成される角部は、応力が集中しやすい部分である。このため、天板からの荷重を仕切板によって受ける際には、天板と仕切板の角部との接触を避けることが好ましい。そこで、ここでは、上記のように、仕切板の上縁部に形成される切り欠き部を仕切板の角部に配置して、これにより、応力を分散させている。そして、この応力の分散は、天板における傷や凹凸等の変形発生の抑制に寄与する。
【図面の簡単な説明】
【００１３】
【図１】本開示の一実施形態にかかる冷凍装置ユニットとしての室外ユニットの外観を示す斜視図である。
【図２】室外ユニットの上面図である。
【図３】室外ユニットの前面図である。
【図４】仕切板の上縁部付近を示す斜視図である。
【図５】仕切板の上縁部付近を示す断面図（図３のＢ−Ｂ断面図）である。
【図６】比較例の仕切板の上縁部の断面図である。
【図７】変形例Ａの室外ユニットの上面図である。
【図８】変形例Ａの仕切板の上縁部付近を示す断面図（図７のＢ−Ｂ断面図）である。
【図９】変形例Ｂの仕切板の上縁部付近を示す断面図である。
【発明を実施するための形態】
【００１４】
以下、冷凍装置ユニットとしての室外ユニットについて、図面に基づいて説明する。
【００１５】
（１）構成
図１は、一実施形態にかかる冷凍装置ユニットとしての室外ユニット２の外観を示す斜視図である。図２は、室外ユニット２の上面図である。図２は、室外ユニット２からケース６０の上面を除いた状態を示している。図３は、室外ユニット２の前面図である。図３は、室外ユニット２からケース６０の前面を除いた状態を示している。図４は、仕切板６６の上縁部６８付近を示す斜視図である。図５は、仕切板６６の上縁部６８付近を示す断面図（図３のＢ−Ｂ断面図）である。以下の説明において、「上」、「下」、「左」、「右」、「前」及び「後」のような方向は、図１〜図４に示す方向を意味している。
【００１６】
室外ユニット２は、室内ユニットに冷媒連絡管を介して接続されており、冷媒が循環する冷媒回路を構成している。室外ユニット２は、ケース６０と、冷媒回路を構成する圧縮機２１及び室外熱交換器２２等の部品と、室外送風機２３と、電装品アセンブリと、を有している。圧縮機２１及び室外熱交換器２２以外の冷媒回路を構成する部品と電装品アセンブリとは、図２及び図３に図示していない。
【００１７】
ケース６０は、ケース本体６１と、天板６２と、を有している。
【００１８】
ケース本体６１は、上面が開放されている略直方体形状の箱体である。ケース本体６１は、底板６３と、周囲板６４と、を有している。
【００１９】
底板６３は、ケース６０の底面を形成する横長の板状部材である。底板６３の下面には、設置面に固定される基礎脚６５が設けられている。
【００２０】
周囲板６４は、ケース６０の上面視において、ケース６０の周囲面（前面、左側面、右側面及び後面）を形成する部材である。周囲板６４は、複数の板状部材によって構成されている。例えば、周囲板６４は、ケース６０の前面の左寄りの部分及び左側面を形成する左前板と、ケース６０の前面の右寄りの部分及び右側面の前寄りの部分を形成する右前板と、ケース６０の右側面の後寄りの部分を形成する右側板と、によって構成されている。但し、周囲板６４を構成する板状部材の区分は、これに限定されるものではない。周囲板６４の下部は、底板６３にネジ等により固定されている。ケース本体６１には、圧縮機２１、室外熱交換器２２及び室外送風機２３が配置されている。
【００２１】
天板６２は、ケース６０の天面を形成する横長の金属製の板状部材である。天板６２は、ケース本体６１の開放されている上面を覆っている（図３の矢印Ａ参照）。天板６２は、周囲板６４の上部にネジ等により固定されている。
【００２２】
ケース本体６１には、仕切板６６が設けられている。仕切板６６は、鉛直方向に延びる金属製の板状部材である。仕切板６６は、ケース本体６１内の空間を室外熱交換器２２及び室外送風機２３が配置される第１室Ｓ１と圧縮機２１が配置される第２室Ｓ２とに仕切っている。
【００２３】
第１室Ｓ１は、仕切板６６の左側の空間である。第２室Ｓ２は、仕切板６６の右側の空間である。室外熱交換器２２は、第１室Ｓ１において、ケース６０の左側面から後面に沿って配置されている。室外送風機２３は、第１室Ｓ１において、室外熱交換器２２のうちケース６０の後面に沿う部分の前側に配置されている。周囲板６４のうちケース６０の左側面及び後面を形成する部分には、吸入口６４ａ、６４ｂが形成されている。吸入口６４ａ、６４ｂは、室外送風機２３によってケース６０外からケース６０内に空気を吸い込む開口である。周囲板６４のうちケース６０の前面を形成する部分には、吹出口６４ｃが形成されている。吹出口６４ｃは、室外送風機２３によってケース６０内からケース６０外に空気を吹き出す開口である。吹出口６４ｃには、ファンガード６４ｄが設けられている。圧縮機２１は、第２室Ｓ２において、前後方向の中央付近に配置されている。
【００２４】
仕切板６６は、ケース６０の前面視において、底板６３から天板６２の近傍まで上方に延びている。天板６２は、仕切板６６の上に配置されている。仕切板６６は、ケース６０の上面視において、ケース６０の前面から室外熱交換器２２の右端部まで後方に延びている。仕切板６６は、ケース６０の上面視において、複数の角部６６ａをなすように曲がっている。仕切板６６は、ケース６０の上面視において、第１室Ｓ１側に突出するように曲がっている。但し、角部６６ａの数は、複数に限定されるものではなく、１つであってもよい。仕切板６６の下部は、底板６３にネジ等により固定されている。仕切板６６の前部は、周囲板６４のうちケース６０の前面を形成する部分にネジ等により固定されている。
【００２５】
仕切板６６は、本体部６７と、上縁部６８と、を有している。
【００２６】
本体部６７は、底板６３から上方に延びる仕切板６６の大部分を占める部分である。
【００２７】
上縁部６８は、本体部６７の上側の天板６２の近傍部分である。上縁部６８は、鉛直方向に交差する方向に曲がっている。上縁部６８は、第１室Ｓ１側に曲がっている。上縁部６８の曲げ半径Ｒは、仕切板６６の板厚ｔの５倍以上である。上縁部６８は、曲げ半径Ｒを有する曲げ部６９と、曲げ部６９から鉛直方向に交差する方向に延びる平坦部７０と、を有している。
【００２８】
曲げ部６９は、本体部６８の上端から曲げ半径Ｒで曲がっている部分である。ここでは、曲げ部６９は、先端が水平方向を向くまで曲がっている。ここでは、曲げ部６９は、単一の曲げ半径Ｒで曲がっている部分であるが、これに限定されるものではない。例えば、曲げ部６９が、曲げ半径Ｒ（板厚ｔの５倍以上）の部分と、曲げ半径Ｒよりも小さい曲げ半径の部分と、を有していてもよい。
【００２９】
平坦部７０は、曲げ部６９の先端から鉛直方向に交差する方向にさらに延びている部分である。ここでは、平坦部７０は、曲げ部６９の先端から水平方向にさらに延びている。平坦部７０の長さＬは、曲げ半径Ｒの１／３倍以上である。
【００３０】
上縁部６８は、ケース６０の上面視において、仕切板６６の曲がり形状に沿って曲がっている。言い換えれば、上縁部６８は、ケース６０の上面視において、仕切板６６の角部６６ａの位置で曲がっている。
【００３１】
（２）特徴
次に、冷凍装置ユニットとしての室外ユニット２の特徴について説明する。
【００３２】
＜Ａ＞
ケース内が鉛直方向に延びる仕切板によって仕切られている室外ユニット（冷凍装置ユニット）では、天板に上から力がかかると、天板が撓んで仕切板の上縁部に接触し、天板に傷や凹凸等の変形が発生するおそれがある。
【００３３】
これに対して、図６に示すように、仕切板１６６の上縁部１６８を水平方向に曲げて、天板１６２からの荷重を受ける構成を採用することが考えられる。この構成では、上縁部１６８が急激に直角に曲げられている。
【００３４】
しかし、図６に示す構成では、天板１６２からの荷重が大きくなると、上縁部１６８の曲げ始めの部分と天板１６２との接触によって、天板１６２に変形Ｄが発生するおそれがある。
【００３５】
そこで、ここでは、仕切板６６の上縁部６８を曲げている構成（曲げ部６９を有する構成）を採用する際に、上記のように、仕切板６６の板厚ｔの５倍以上の曲げ半径Ｒの部分が形成されるように上縁部６８を曲げている（図５参照）。
【００３６】
このため、ここでは、上縁部６８の曲げ部６９がクッションになって、天板６８が仕切板６６の上縁部６８に接触する際の荷重を緩和することができる。ここでは、曲げ部６９によって、上縁部６８が緩やかに曲げられている。このため、ここでは、図６に示す構成とは異なり、上縁部６８の曲げ始めの部分に角張った部分がなくなっている。
【００３７】
これにより、ここでは、上縁部６８の曲げ始めの部分と天板６２との接触によって天板６２に傷や凹凸等の変形が発生することを抑えることができる。
【００３８】
＜Ｂ＞
ここでは、上記のように、仕切板６６の上縁部６８が、曲げ半径Ｒを有する曲げ部６９と、曲げ部６９から延びる平坦部７０と、を有している（図５参照）。
【００３９】
このため、ここでは、天板６８が仕切板６６の上縁部６８に接触する際に、天板６２を曲げ部６９ではなく、平坦部７０に面接触させることができる。
【００４０】
これにより、ここでは、平坦部７０によって天板６２からの荷重を分散して受けることができる。
【００４１】
＜Ｃ＞
ここでは、上記のように、仕切板６６が、ケース６０の上面視において、第１室Ｓ１側に突出するように曲がっており、曲げ部６９が、第１室Ｓ１側に曲がっている（図２、図４及び図５参照）。言い換えれば、ここでは、ケース６０の上面視において、仕切板６６が突出する側の第１室Ｓ１に向けて上縁部６８を曲げている。
【００４２】
このため、ここでは、ケース６０の上面視において、上縁部６８を仕切板６６が凹んでいる側の第２室Ｓ２に向けて上縁部６８を曲げる場合に比べて、ケース６０の上面視における上縁部６８の領域を大きくすることができる。特に、平坦部７０の面積を大きくすることができる。
【００４３】
これにより、ここでは、天板６２からの荷重を分散して受けやすくすることができる。
【００４４】
（３）変形例
＜Ａ＞
上記実施形態の室外ユニット２（冷凍装置ユニット）では、ケース６０の上面視において、上縁部６８が仕切板６６の本体部６７の上端から１つの部分として鉛直方向に交差する方向に曲げられている形状を有している（図２及び図４参照）。しかし、上縁部６８の形状は、これに限定されるものではない。
【００４５】
ここでは、図７及び図８に示すように、上縁部６８に複数の切り欠き部７１を形成している。このため、ここでは、上縁部６８が複数の部分６８ａ〜６８ｅに分割されている。但し、切り欠き部７１の数は、複数に限定されるものではなく、１つであってもよい。
【００４６】
これにより、ここでは、複数に分割された仕切板６６の上縁部６８（６８ａ〜６８ｅ）によって天板６２からの荷重を分散して受けることができる。
【００４７】
特に、仕切板６６の曲がり形状によって形成される角部６６ａは、応力が集中しやすい部分である。このため、天板６２からの荷重を仕切板６６によって受ける際には、天板６２と仕切板６６の角部６６ａとの接触を避けることが好ましい。
【００４８】
そこで、ここでは、上記のように、仕切板６６の上縁部６８に形成される切り欠き部７１を仕切板６６の角部６６ａに配置して、応力を分散させている。そして、この荷重の分散は、天板６２における傷や凹凸等の変形発生の抑制に寄与する。但し、切り欠き部７１は、角部６６ａのすべてに形成しなくてもよい。例えば、複数の角部６６ａのうちのいくつかに切り欠き部７１を形成してもよい。
【００４９】
＜Ｂ＞
上記実施形態及び変形例Ａの室外ユニット２（冷凍装置ユニット）では、仕切板６６の上縁部６８が、曲げ半径Ｒを有する曲げ部６９と、曲げ部６９から延びる平坦部７０と、を有している（図５参照）。しかし、上縁部６８の形状は、これに限定されるものではない。
【００５０】
ここでは、図９に示すように、上縁部６８が、平坦部７０の先端にさらに第２曲げ部７２を有している。第２曲げ部７２は、平坦部７０の先端から下方を向くまで曲がっている部分である。
【００５１】
この場合においても、上記実施形態及び変形例Ａと同様に、上縁部６８の曲げ始めの部分と天板６２との接触によって天板６２に傷や凹凸等の変形が発生することを抑えることができる。
【００５２】
このように、仕切板６６の上縁部６８は、仕切板６６の板厚ｔの５倍以上の曲げ半径Ｒで曲がっている部分（曲げ部６９）を有していればよい。言い換えれば、図９に示すように、上縁部６８が第２曲げ部７２のような別の部分を有していても、上縁部６８の形状は、鉛直方向に交差する方向に曲がっている形状である。
【００５３】
＜Ｃ＞
上記実施形態及び変形例Ａ、Ｂでは、室外ユニット２を例に挙げて説明しているが、これに限定されるものではない。ケース内に圧縮機及び送風機が配置され、かつ、圧縮機が配置される室と送風機が配置される室とが仕切板によって仕切られている冷凍装置ユニットであればよい。
【００５４】
また、上記実施形態及び変形例Ａ、Ｂでは、ケース６０の左寄りの空間を第１室Ｓ１とし、ケース６０の右寄りの空間を第２室Ｓ２としているが、これに限定されるものではない。例えば、ケース６０の左寄りの空間を第２室Ｓ２とし、ケース６０の右寄りの空間を第１室Ｓ１としてもよい。
【００５５】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【００５６】
本開示は、ケース内が鉛直方向に延びる仕切板によって仕切られている冷凍装置ユニットに対して、広く適用可能である。
【符号の説明】
【００５７】
２      室外ユニット（冷凍装置ユニット）
２１    圧縮機
２３    室外送風機（送風機）
６１    ケース本体
６２    天板
６６    仕切板
６６ａ  角部
６８    上縁部
６９    曲げ部
７０    平坦部
７１    切り欠き部
Ｒ      曲げ半径
Ｓ１    第１室
Ｓ２    第２室
ｔ      板厚
【先行技術文献】
【特許文献】
【００５８】
【特許文献１】特開２００９−１７４７６０号公報
【図１】
2020085428.tif 000003
【図２】
2020085428.tif 000004
【図３】
2020085428.tif 000005
【図４】
2020085428.tif 000006
【図５】
2020085428.tif 000007
【図６】
2020085428.tif 000008
【図７】
2020085428.tif 000009
【図８】
2020085428.tif 000010
【図９】
2020085428.tif 000011